【手続補正書】
【提出日】平成17年8月29日(2005.8.29)
【手続補正１】
【補正対象書類名】明細書
【補正対象項目名】発明の名称
【補正方法】変更
【補正の内容】
【発明の名称】情報表示制御装置及び情報表示制御プログラム
【手続補正２】
【補正対象書類名】明細書
【補正対象項目名】特許請求の範囲
【補正方法】変更
【補正の内容】
【特許請求の範囲】
【請求項１】
見出語と説明情報とを対応付けて複数記憶している情報記憶手段と、
見出語を指定する見出語指定手段と、
この見出語指定手段により指定された見出語に対応する説明情報を前記情報記憶手段に記憶された説明情報の中から検索する検索手段と、
この検索手段により検索された説明情報に含まれる文字列のうち前記情報記憶手段に記憶された見出語と一致する文字列を抽出する文字列抽出手段と、
この文字列抽出手段により抽出された文字列を識別表示させて、前記検索手段により検索された説明情報を表示制御する表示制御手段と、
を備えることを特徴とする情報表示制御装置。
【請求項２】
前記情報記憶手段は、各辞書別に見出語と説明情報とを対応付けて記憶している複数の辞書別情報記憶手段を有し、
前記文字列抽出手段は、前記検索手段により検索された説明情報に含まれる文字列のうち前記複数の辞書別情報記憶手段毎に記憶された見出語と一致する文字列を前記複数の辞書別情報記憶手段毎に抽出し、
前記表示制御手段は、前記文字列抽出手段により前記複数の辞書別情報記憶手段毎に抽出された文字列を、前記複数の辞書別情報記憶手段毎に識別表示させて、前記検索手段により検索された説明情報を表示制御する辞書別情報表示制御手段を有することを特徴とする請求項１に記載の情報表示制御装置。
【請求項３】
各辞書別に見出語と説明情報とを対応付けて複数記憶している複数の情報記憶手段を備えた情報表示制御装置において、
前記説明情報は、前記複数の情報記憶手段に記憶された見出語の何れかと一致する文字列を含む場合、当該文字列に関連付けて辞書別の見出語有り情報を有しており、
前記何れかの辞書別の情報記憶手段の、何れかの見出語を指定する見出語指定手段と、
この見出語指定手段により指定された見出語に対応する説明情報を指定の辞書別の情報記憶手段から検索する検索手段と、
この検索手段により検索された説明情報中の見出語有り情報に関連付けられた文字列を辞書別に識別表示させて、前記説明情報を表示制御する辞書別情報表示制御手段と、
を備えることを特徴とする情報表示制御装置。
【請求項４】
前記見出語有り情報には、予め設定された推奨度が含まれ、
前記検索手段により検索された説明情報中の見出語有り情報の推奨度に関連付けられた文字列を推奨度別に識別表示させて、前記説明情報を表示制御する推奨度情報表示制御手段を備えることを特徴とする請求項３に記載の情報表示制御装置。
【請求項５】
前記推奨度は、前記見出語有り情報の文字列に一致する見出語に対応付けられた辞書別の説明情報のデータ量に応じて設定されていることを特徴とする請求項４に記載の情報表示制御装置。
【請求項６】
前記推奨度は、前記見出語有り情報の文字列に一致する見出語に対応付けられた辞書別の説明情報に含まれる例文数に応じて設定されていることを特徴とする請求項４に記載の情報表示制御装置。
【請求項７】
所定の通信回線を介して、見出語と、当該見出語の説明情報とを対応付けた外部情報記憶手段と通信可能に構成され、
前記外部情報記憶手段に記憶された外部見出語を受信する受信手段と、
この受信手段により受信した外部見出語を記憶する外部見出語記憶手段と、
前記検索手段により検索された説明情報に含まれる文字列のうち前記外部情報記憶手段に記憶された外部見出語と一致する文字列を抽出する外部文字列抽出手段と、
を備え、
前記表示制御手段は、前記外部文字列抽出手段により抽出された文字列を識別表示させて、前記検索手段により検索された説明情報を表示制御する外部文字列表示制御手段を有することを特徴とする請求項１に記載の情報表示制御装置。 
【請求項８】
前記受信手段は、ユーザによる更新指示に応じて通信して前記外部情報記憶手段に記憶された見出語を受信する更新指示受信手段を有し、
この更新指示受信手段により受信した見出語に基づいて前記外部見出語記憶手段に記憶される見出語を更新する手段を備えることを特徴とする請求項７に記載の情報表示制御装置。
【請求項９】
表示部と、見出語と当該見出語の説明情報とを対応付けて記憶している情報記憶部とを備えた情報表示制御装置のコンピュータを制御するための情報表示制御プログラムであって、当該コンピュータを、 
見出語を指定する見出語指定手段、
この見出語指定手段により指定された見出語に対応する説明情報を前記情報記憶部に記憶された説明情報の中から検索する検索手段、
この検索手段により検索された説明情報に含まれる文字列のうち前記情報記憶部に記憶された各見出語と一致する文字列を抽出する文字列抽出手段、
この文字列抽出手段により抽出された文字列を識別表示させて、前記検索手段により検索された説明情報を表示制御する表示制御手段、
として機能させるための情報表示制御プログラム。
【請求項１０】
表示部と、各辞書別に見出語と当該見出語の説明情報とを対応付けて複数記憶している複数の情報記憶部とを備え、前記説明情報は前記複数の情報記憶手段に記憶された見出語の何れかと一致する文字列を含む場合当該文字列に関連付けて辞書別の見出語有り情報を有して構成されている情報表示制御装置のコンピュータを制御するための情報表示制御プログラムであって、当該コンピュータを、
前記何れかの辞書別の情報記憶部の、何れかの見出語を指定する見出語指定手段、
この見出語指定手段により指定された見出語に対応する説明情報を指定の辞書別の情報記憶部から検索する検索手段、
この検索手段により検索された説明情報中の見出語有り情報に関連付けられた文字列を辞書別に識別表示させて、前記説明情報を表示制御する辞書別情報表示制御手段、
として機能させるための情報表示制御プログラム。
【手続補正３】
【補正対象書類名】明細書
【補正対象項目名】０００１
【補正方法】変更
【補正の内容】
【０００１】
【発明の属する技術分野】
本発明は、指定された見出語に基づいて対応する説明情報を検索する情報表示制御装置及び情報表示制御プログラムに関する。
【手続補正４】
【補正対象書類名】明細書
【補正対象項目名】０００８
【補正方法】変更
【補正の内容】
【０００８】
【課題を解決するための手段】
以上の課題を解決するため、請求項１に記載の情報表示制御装置は、
見出語と説明情報とを対応付けて複数記憶している情報記憶手段（例えば、図２に示す国語辞典ＤＢ５３）と、
見出語を指定する見出語指定手段（例えば、図２に示す入力部２０；図８に示すステップＡ１２）と、
この見出語指定手段により指定された見出語に対応する説明情報を前記情報記憶手段に記憶された説明情報の中から検索する検索手段（例えば、図２に示すＣＰＵ１０；図８に示すステップＡ１６）と、
この検索手段により検索された説明情報に含まれる文字列のうち前記情報記憶手段に記憶された見出語と一致する文字列を抽出する文字列抽出手段（例えば、図２に示すＣＰＵ１０；図１０に示すステップＡ２２２，Ａ２２４（ＹＥＳ））と、
この文字列抽出手段により抽出された文字列を識別表示させて、前記検索手段により検索された説明情報を表示制御する表示制御手段（例えば、図２に示すＣＰＵ１０；図１０に示すステップＡ２２６）と、
を備えることを特徴としている。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
この請求項１に記載の発明によれば、指定された見出語に対応する説明情報の文字列のうち前記情報記憶手段に記憶された見出語と一致する文字列を抽出し、抽出した文字列を識別表示させて説明情報を表示させることができる。従って、見出語の説明情報についてさらに見出語の説明情報があることが識別表示により直ちに確認でき、説明情報についてのさらなる説明情報を容易且つ適切に表示させることが可能となる。
【手続補正７】
【補正対象書類名】明細書
【補正対象項目名】００１１
【補正方法】変更
【補正の内容】
【００１１】
そして、請求項２に記載の発明は、請求項１に記載の情報表示制御装置において、
前記情報記憶手段は、各辞書別に見出語と説明情報とを対応付けて記憶している複数の辞書別情報記憶手段（例えば、図２に示す国語辞典ＤＢ５３，英和辞典ＤＢ５４，和英辞典５５）を有し、
前記文字列抽出手段は、前記検索手段により検索された説明情報に含まれる文字列のうち前記複数の辞書別情報記憶手段毎に記憶された見出語と一致する文字列を前記複数の辞書別情報記憶手段毎に抽出し（例えば、図２に示すＣＰＵ１０；図１０に示すステップＡ２２２，Ａ２２４（ＹＥＳ），Ａ２２８（ＹＥＳ））を有し、
前記表示制御手段は、前記文字列抽出手段により前記複数の辞書別情報記憶手段毎に抽出された文字列を、前記複数の辞書別情報記憶手段毎に識別表示させて、前記検索手段により検索された説明情報を表示制御する辞書別情報表示制御手段（例えば、図２に示すＣＰＵ１０；図１０に示すステップＡ２２６，Ａ２３０）を有することを特徴としている。
【手続補正８】
【補正対象書類名】明細書
【補正対象項目名】００１２
【補正方法】変更
【補正の内容】
【００１２】
この請求項２に記載の発明によれば、指定された見出語に対応して検索された説明情報の文字列に含まれる文字列のうち前記複数の辞書別情報記憶手段毎に記憶された見出語と一致する文字列を前記複数の辞書別情報記憶手段毎に抽出し、抽出された文字列を、前記複数の辞書別情報記憶手段毎に識別表示させて、説明情報を表示させることができる。従って、辞書別情報記憶手段に見出語の説明情報があることが識別表示により直ちに確認でき、説明情報についてのさらなる説明情報を辞書別に容易且つ適切に表示させることが可能となる。
【手続補正９】
【補正対象書類名】明細書
【補正対象項目名】００１３
【補正方法】変更
【補正の内容】
【００１３】
また、請求項３に記載の発明は、
各辞書別に見出語と説明情報とを対応付けて複数記憶している複数の情報記憶手段（例えば、図２に示す国語辞典ＤＢ５３，英和辞典ＤＢ５４，和英辞典５５）を備えた情報表示制御装置において、
前記説明情報は、前記複数の情報記憶手段に記憶された見出語の何れかと一致する文字列を含む場合、当該文字列に関連付けた辞書別の見出語有り情報（例えば、第２の実施の形態における推奨度情報）を有しており、
前記何れかの辞書別の情報記憶手段の、何れかの情報記憶手段を指定する見出語指定手段（例えば、図２に示す入力部２０；図８に示すステップＡ１０、Ａ１２）と、
この見出語指定手段により指定された見出語に対応する説明情報を指定の辞書別の情報記憶手段から検索する検索手段（例えば、図２に示すＣＰＵ１０；図８に示すステップＡ１６）と、
この検索手段により検索された説明情報中の見出語有り情報に関連付けられた文字列を辞書別に識別表示させて、前記説明情報を表示制御する辞書別情報表示制御手段（例えば、図２に示すＣＰＵ１０；図１７に示すジャンプ先推奨度表示処理）と、
を備えることを特徴としている。
【手続補正１０】
【補正対象書類名】明細書
【補正対象項目名】００１４
【補正方法】変更
【補正の内容】
【００１４】
この請求項３に記載の発明によれば、指定手段により指定された辞書別の情報記憶手段の指定の見出語に対応する説明情報を検索して表示させる際に、当該説明情報に対応する見出語有り情報に基づいて、検索された説明情報中の見出語有り情報に関連付けられた文字列を辞書別に識別表示させて説明情報を表示させることができる。辞書別情報記憶手段に見出語の説明情報があることが識別表示により直ちに確認でき、説明情報についてのさらなる説明情報を辞書別に容易且つ適切に表示させることが可能となる。
【手続補正１１】
【補正対象書類名】明細書
【補正対象項目名】００１５
【補正方法】変更
【補正の内容】
【００１５】
そして、請求項４に記載の発明は、請求項３に記載の情報表示制御装置において、
前記見出語有り情報には、予め設定された推奨度（例えば、第２の実施の形態における推奨度情報）が含まれ、
前記検索手段により検索された説明情報中の見出語有り情報の推奨度に関連付けられた文字列を推奨度別に識別表示させて、前記説明情報を表示制御する推奨度情報表示制御手段（例えば、図２に示すＣＰＵ１０；図１７に示すジャンプ先推奨度表示処理）を備えることを特徴としている。
【手続補正１２】
【補正対象書類名】明細書
【補正対象項目名】００１６
【補正方法】変更
【補正の内容】
【００１６】
この請求項４に記載の発明によれば、指定された見出語に対応する説明情報を表示させる際に、当該説明情報中の見出語有り情報の推奨度に関連付けられた文字列を推奨度別に識別表示させて、説明情報を表示させることができる。従って、この推奨度別の識別表示に従って、説明情報についてのさらなる説明情報を辞書別に容易且つ適切に表示させることが可能となる。
【手続補正１３】
【補正対象書類名】明細書
【補正対象項目名】００１７
【補正方法】変更
【補正の内容】
【００１７】
そして、請求項５に記載の発明は、請求項４に記載の情報表示制御装置において、
前記推奨度は、前記見出語有り情報の文字列に一致する見出語に対応付けられた辞書別の説明情報のデータ量に応じて設定されていることを特徴としている。
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
さらに、請求項６に記載の発明は、請求項４に記載の情報表示制御装置において、
前記推奨度は、前記見出語有り情報の文字列に一致する見出語に対応付けられた辞書別の説明情報に含まれる例文数に応じて設定されていることを特徴としている。
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】変更
【補正の内容】
【００２１】
さらに、請求項７に記載の発明は、請求項１〜６の何れか一項に記載の情報表示制御装置において、
所定の通信回線を介して、見出語と、当該見出語の説明情報とを対応付けた外部情報記憶手段（例えば、図２に示すネット辞書ＤＢ１０２）と通信可能に構成され、
前記外部情報記憶手段に記憶された外部見出語を受信する受信手段（例えば、図２に示す通信部４０；図１２に示すネット辞書見出語取得処理）と、
この受信手段により受信した外部見出語を記憶する外部見出語記憶手段（例えば、図２に示すネット辞書見出語一覧５６）と、
前記検索手段により検索された説明情報に含まれる文字列のうち前記外部情報記憶手段に記憶された外部見出語と一致する文字列を抽出する外部文字列抽出手段（例えば、図２に示すＣＰＵ１０；図１０に示すステップＡ２２２，Ａ２３２（ＹＥＳ））と、
を備え、
前記表示制御手段は、前記外部文字列抽出手段により抽出された文字列を識別表示させて、前記検索手段により検索された説明情報を表示制御する外部文字列表示制御手段（例えば、図２に示すＣＰＵ１０；図１０に示すステップＡ２３４）を有することを特徴としている。
【手続補正１８】
【補正対象書類名】明細書
【補正対象項目名】００２２
【補正方法】変更
【補正の内容】
【００２２】
この請求項７に記載の発明によれば、情報表示制御装置において、通信回線を介して接続した外部情報記憶手段に記憶される外部見出語を受信して外部見出語記憶手段に記憶することにより、指定された見出語に対応する説明情報を表示させる際に、当該指定された見出語に対応する説明情報の文字列のうち前記外部情報記憶手段に記憶された外部見出語と一致する文字列を抽出して、抽出された文字列を識別表示させて、当該指定された見出語に対応する説明情報を表示させることができる。従って、見出語の説明情報についてさらに外部見出語の説明情報があることが識別表示により直ちに確認でき、説明情報についてのさらなる説明情報を容易且つ適切に表示させることが可能となる。
【手続補正１９】
【補正対象書類名】明細書
【補正対象項目名】００２３
【補正方法】変更
【補正の内容】
【００２３】
そして、請求項８に記載の発明は、請求項７に記載の情報表示制御装置において、
前記受信手段は、ユーザによる更新指示に応じて通信して前記外部情報記憶手段に記憶された見出語を受信する更新指示受信手段（例えば、図２に示す通信部４０；図１２に示すネット辞書見出語取得処理）を有し、
この更新指示受信手段により受信した見出語に基づいて前記外部見出語記憶手段に記憶される見出語を更新する手段（例えば、図２に示すＣＰＵ１０；図１２に示すステップＢ１４，Ｂ１６）を備えることを特徴としている。
【手続補正２０】
【補正対象書類名】明細書
【補正対象項目名】００２４
【補正方法】変更
【補正の内容】
【００２４】
この請求項８に記載の発明によれば、ユーザによる更新指示に応じて通信して前記外部情報記憶手段に記憶された見出語を受信することができる。従って、情報表示制御装置において見出語記憶手段に記憶される見出語に、外部情報記憶手段の更新を反映させることができる。
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】０１１４
【補正方法】変更
【補正の内容】
【０１１４】
この請求項１に記載の発明によれば、指定された見出語に対応する説明情報の文字列のうち前記情報記憶手段に記憶された見出語と一致する文字列を抽出し、抽出した文字列を識別表示させて説明情報を表示させることができる。従って、見出語の説明情報についてさらに見出語の説明情報があることが識別表示により直ちに確認でき、説明情報についてのさらなる説明情報を容易且つ適切に表示させることが可能となる。
【手続補正２５】
【補正対象書類名】明細書
【補正対象項目名】０１１５
【補正方法】変更
【補正の内容】
【０１１５】
請求項２に記載の発明によれば、指定された見出語に対応して検索された説明情報の文字列に含まれる文字列のうち前記複数の辞書別情報記憶手段毎に記憶された見出語と一致する文字列を前記複数の辞書別情報記憶手段毎に抽出し、抽出された文字列を、前記複数の辞書別情報記憶手段毎に識別表示させて、説明情報を表示させることができる。従って、辞書別情報記憶手段に見出語の説明情報があることが識別表示により直ちに確認でき、説明情報についてのさらなる説明情報を辞書別に容易且つ適切に表示させることが可能となる。
【手続補正２６】
【補正対象書類名】明細書
【補正対象項目名】０１１６
【補正方法】変更
【補正の内容】
【０１１６】
請求項３に記載の発明によれば、指定手段により指定された辞書別の情報記憶手段の指定の見出語に対応する説明情報を検索して表示させる際に、当該説明情報に対応する見出語有り情報に基づいて、検索された説明情報中の見出語有り情報に関連付けられた文字列を辞書別に識別表示させて説明情報を表示させることができる。辞書別情報記憶手段に見出語の説明情報があることが識別表示により直ちに確認でき、説明情報についてのさらなる説明情報を辞書別に容易且つ適切に表示させることが可能となる。
【手続補正２７】
【補正対象書類名】明細書
【補正対象項目名】０１１７
【補正方法】変更
【補正の内容】
【０１１７】
請求項４に記載の発明によれば、指定された見出語に対応する説明情報を表示させる際に、当該説明情報中の見出語有り情報の推奨度に関連付けられた文字列を推奨度別に識別表示させて、説明情報を表示させることができる。従って、この推奨度別の識別表示に従って、説明情報についてのさらなる説明情報を辞書別に容易且つ適切に表示させることが可能となる。
【手続補正２８】
【補正対象書類名】明細書
【補正対象項目名】０１１８
【補正方法】削除
【補正の内容】
【手続補正２９】
【補正対象書類名】明細書
【補正対象項目名】０１１９
【補正方法】削除
【補正の内容】
【手続補正３０】
【補正対象書類名】明細書
【補正対象項目名】０１２０
【補正方法】変更
【補正の内容】
【０１２０】
請求項７に記載の発明によれば、情報表示制御装置において、通信回線を介して接続した外部情報記憶手段に記憶される外部見出語を受信して外部見出語記憶手段に記憶することにより、指定された見出語に対応する説明情報を表示させる際に、当該指定された見出語に対応する説明情報の文字列のうち前記外部情報記憶手段に記憶された外部見出語と一致する文字列を抽出して、抽出された文字列を識別表示させて、当該指定された見出語に対応する説明情報を表示させることができる。従って、見出語の説明情報についてさらに外部見出語の説明情報があることが識別表示により直ちに確認でき、説明情報についてのさらなる説明情報を容易且つ適切に表示させることが可能となる。
【手続補正３１】
【補正対象書類名】明細書
【補正対象項目名】０１２１
【補正方法】変更
【補正の内容】
【０１２１】
請求項８に記載の発明によれば、ユーザによる更新指示に応じて通信して前記外部情報記憶手段に記憶された見出語を受信することができる。従って、情報表示制御装置において見出語記憶手段に記憶される見出語に、外部情報記憶手段の更新を反映させることができる。
【手続補正３２】
【補正対象書類名】明細書
【補正対象項目名】０１２２
【補正方法】削除
【補正の内容】